(57)【要約】ＡＭ信号処理における隣接チャネルの干渉と弱い信号の影響から保護するために、両者の帯域幅が１つの制御機構（３４）によって同様に変更される、ＡＭ復調前フィルタおよびＡＭ復調後フィルタ（３６，３８）が使用され得る。一実施形態では、復調前および復調後フィルタに、各々が同じ所定の次数を有し、同じ係数のセットを使用する２以上のカスケードフィルタ（２０，２４または２２，２６または３０，３２）が使用される。一実施形態では、すべてのカスケードフィルタは一次ＩＩＲフィルタであり、これにより計算の複雑さが減少する。すべてのカスケードフィルタに同じ係数のセットを使用することにより、すべてのフィルタで帯域幅が同じになり、計算の複雑さがさらに減少する。代替実施形態では、カスケードフィルタが復調前フィルタと復調後フィルタの一方にのみ使用され得る。
2006506850.tif 000002
【特許請求の範囲】
【請求項１】
振幅変調（ＡＭ）信号を処理する方法であって、
所定の次数を有し、かつ係数のセットを有する第１のフィルタ（２０，２２，または３０）に、入力信号を与える工程；
前記第１のフィルタから第１の出力信号を出力する工程；
同じ所定の次数を有し、かつ同じ係数のセットを有する第２のフィルタ（２４，２６，または３２）に前記第１の出力信号を与える工程；および
前記第２のフィルタから第２の信号を出力する工程；
から成る方法。
【請求項２】
前記第１のフィルタおよび前記第２のフィルタを使用して、復調前フィルタリング（３６）を行なうことをさらに含む、請求項１に記載の方法。
【請求項３】
前記第１のフィルタおよび前記第２のフィルタを使用して、復調後フィルタリングを行うことをさらに含む、請求項１に記載の方法。
【請求項４】
前記係数のセットを選択的に修正することをさらに含む、請求項１に記載の方法。
【請求項５】
信号品質指標を受け取ることをさらに含む、請求項１に記載の方法。
【請求項６】
信号強度指標および隣接チャネル干渉指標を使用して、選択的に係数のセットを修正することをさらに含む、請求項１に記載の方法。
【請求項７】
振幅変調（ＡＭ）受信機であって、
入力変調信号を選択的に受け取り、中間信号を与えるための、チューナを有する入力部分；
前記中間信号を受け取るために前記入力部分に結合され、伝達関数を有する第１のフィルタ（２０，２２）；
第１のフィルタに結合され、同じ伝達関数を有する第２のフィルタ（２４，２６）；
第２のフィルタに結合された復調器（２８）；
復調器に結合され、同じ伝達関数を有する第３のフィルタ（３０）；
第３のフィルタに結合され、同じ伝達関数を有する第４のフィルタ（３２）；および
第１、第２、第３、および第４のフィルタを制御するためのフィルタ制御装置（３４）；
を備えた受信機。
【請求項８】
フィルタ制御装置（３４）は、前記同じ伝達関数を近似するために少なくとも１つの線形近似を使用する、請求項７に記載の受信機。
【請求項９】
振幅変調（ＡＭ）受信機であって、
入力部分；
前記入力部分に結合され、伝達関数を有する復調器前フィルタ（３６）；
復調器前フィルタに結合された復調器（２８）；
前記復調器に結合され、復調器前フィルタと同じ伝達関数を有する復調器後フィルタ（３８）；および
前記復調器前フィルタと前記復調器後フィルタに結合されたフィルタ制御装置；
を備えた受信機。
【請求項１０】
復調器前フィルタ（３６）は、係数セットを有する第１のフィルタ（２０，２２）と、
同じ係数セットを有する第２のフィルタ（２４，２６）とを有する、請求項９に記載の受信機。
【発明の詳細な説明】
【技術分野】
【０００１】
本発明は、一般に、無線受信機に関し、より詳細には、ＡＭ復調器フィルタを有するＡＭ受信機に関する。
【背景技術】
【０００２】
ＡＭラジオの使用は、デジタル自動車用ラジオ、携帯電話、双方向ラジオおよび短波ラジオのように様々な用途にますます拡大しているしかしながら、振幅変調（ＡＭ）ラジオ処理では、隣接チャネルの干渉および弱い信号が、得られるオーディオ信号の品質が低下させるという望ましくない結果を招く。従って、得られるオーディオ信号の品質を改善する必要がある。また、ＡＭ無線処理の効率を改善するために、処理の複雑さ、電力消費、および記憶を減少させることが望ましい。
【０００３】
本発明は、制限するためではなく一例として、添付の図に例示する。図面において、同様な参照番号は同様な要素を示す。
当業者には、図の要素は、説明を簡単に又明確にするために示されているのであって、必ずしも正しい縮尺で描かれていないことが当業者は理解されよう。例えば、図面中のある要素の寸法は、本発明による実施形態の理解促進の一助となるように、他の要素に対して誇張されている場合がある。
【発明を実施するための最良の形態】
【０００４】
本明細書中に用いる場合、用語「バス」は、データ、アドレス、制御、または状態等、１つまたは複数の様々な種類の情報を転送するために用い得る複数の信号または導線のことを指すために用いる。本明細書中に用いる場合、「導線」は、単一導線、複数の導線、単方向性導線、または双方向性導線であることに関連して例示または説明することがある。しかしながら、異なる実施形態においては、導線の実現形態が異なることがある。例えば、双方向性導線ではなく別個の単方向性導線を用いることもあれば、その逆のこともある。更に、逐次的にまたは時分割多重的に多数の信号を転送する単一導線で複数の導線を置き換えてもよい。同様に、多数の信号を搬送する単一導線は、これらの信号の部分集合を搬送する様々な異なる導線に分離されてもよい。従って、信号を転送するための選択肢が数多く存在する。
【０００５】
用語「アサート」および「ネゲート」は、信号、状態ビット、または同様な装置を、それぞれその論理的真の状態または論理的偽の状態にすることを指す場合に用いる。論理的真の状態が、論理レベル１である場合、論理的偽の状態は、論理レベル０である。又、論理的真の状態が、論理レベル０である場合、論理的偽の状態は論理レベル１である。
【０００６】
隣接チャネルの干渉と弱い信号の影響から保護するために、一対の復調前フィルタと復調後フィルタが使用され、ＡＭ復調前後の帯域幅はいずれも一つの制御機構によって同様に変更される。一実施形態では、各々が同じ所定の次数を有し同じ係数のセットを使用する、２以上のカスケードフィルタが使用される。カスケードフィルタはＡＭ復調の前に使用されてもよいし、ＡＭ復調の後に使用されてもよいし、ＡＭ復調の前後の両方に使用されてもよい。従って、復調前フィルタや復調後フィルタの使用により、隣接チャネル干渉および弱い信号の影響が減少され得る。
【０００７】
図１は、ミキサ１２、フィルタ１４、Ａ／Ｄ変換器１６、低域通過フィルタ１８、復調器前フィルタ３６、ＡＭ復調器および利得制御２８、復調器後フィルタ３８、ソフトミュート（soft mute,ゆっくり音を弱めること）装置４０およびフィルタ制御装置３４を備え
たＡＭ受信機１０を示すブロック図である。図示した実施形態では、ＡＭ信号はアンテナにより受け取られ、ミキサ１２の入力に結合される。ミキサ１２の出力はフィルタ１４の入力に結合される。フィルタ１４の出力は、Ａ／Ｄ変換器１６の入力に結合される。Ａ／Ｄ変換器１６の出力は、低域通過フィルタ１８の入力に結合される。低域通過フィルタ１８の出力は、復調器前フィルタ３６の入力に結合される。復調器前フィルタ３６の出力は、ＡＭ復調器および利得制御２８の入力に結合される。ＡＭ復調器および利得制御２８の出力は、復調器後フィルタ３８の入力に結合される。復調器後フィルタ３８の出力は、ソフトミュート装置４０の入力に結合される。フィルタ制御装置３４は隣接チャネル干渉指標（ＡＤＪＩ）および信号強度指標（ＳＳＩ）を受け取り、復調器前フィルタ３６および復調器後フィルタ３８にフィルタ係数を与える。
【０００８】
動作の際、ミキサ１２はアンテナから受信入力信号（例えばメッセージを含む振幅変調（ＡＭ）信号）を取得し、入力信号を第１のローカル振動周波数と乗算する。得られる産物は、合計コンポーネントと差コンポーネントとの両方を含む中間周波数である。フィルタ１４は、この実施形態では、合計コンポーネントまたは差コンポーネントのうちの一方を削除し、他方のコンポーネントをＡ／Ｄ変換器１６に結合させるバンドパスフィルタである。Ａ／Ｄ変換器１６は、フィルタされた信号のデジタル形式への変換を行なう。一実施形態では、Ａ／Ｄ変換器１６は、ベースバンド信号が低域通過フィルタ１８に与えられるようにデジタル信号をベースバンドに混合するミキサも含んでいる。しかしながら、代わりに、フィルタ１４の出力をベースバンドに混合し、Ａ／Ｄ変換器１６がベースバンドフィルタ信号の変換を行なうように、ミキサはフィルタ１４とＡ／Ｄ変換器１６の間で使用されてもよい。さらに別の代替実施形態では、ミキサ１２は、アンテナからの入力ＡＭ信号をベースバンドに直接混合してもよい。この代替実施形態では、フィルタ１４は、Ａ／Ｄ変換器１６にフィルタされたベースバンド信号を与える低域通過フィルタ１４であってよい。上記の実施形態では、いずれも、ベースバンド信号が低域通過フィルタ１８に与えられることに留意する。低域通過フィルタ１８は信号対雑音比を改善するために信号をデジタルにフィルタするように機能する。従って、低域通過フィルタ１８の出力では、実質的にクリーンなデジタルにフィルタされたベースバンド信号が復調器前フィルタ３６に与えられる。
【０００９】
Ａ／Ｄ変換器１６の出力では、フィルタされたデジタルベースバンド信号はＩ’およびＱ’として表され、これらは共に数式Ａ（ｔ）ｊθｔにより有効に表わされる。すなわち、Ｉ’およびＱ’は、互いに位相が９０°ずれた直角成分である。低域通過フィルタ１８は、Ｉ’およびＱ’をいずれもフィルタし、ＩおよびＱで表されるデジタルフィルタベースバンド信号を生成する。ＩおよびＱはいずれも復調器前フィルタ３６に入力される（信号Ｉ、Ｑは中間信号とも称され得ることに留意する）。復調器前フィルタ３６は、ＡＭ復調器および利得制御２８に提示される隣接チャネル干渉を削除し、かつ雑音を制限するために、ＩおよびＱをフィルタする。ＡＭ復調器および利得制御２８のＡＭ復調器部分は、復調器前フィルタ３６から受け取った入力ベースバンド信号Ｉ２，Ｑ２からメッセージを抽出する。ＡＭ復調器および利得制御２８の利得制御部分は、信号強度を変更しつつメッセージの一定の振幅を維持する。ＡＭ復調器および利得制御２８を、当該分野で周知の技術を使用して非フィルタオーディオ信号を生成するように設計することができ、従ってＡＭ復調器および利得制御２８についてはここでさらに詳しくは説明しないことに留意する。復調器後フィルタ３８は、ＡＭ復調器および利得制御２８からの非フィルタオーディオ信号をフィルタし、弱い信号に伴う高周波雑音の検出可能性を減少させる。すなわち、復調器後フィルタ３８は、アンテナで受け取られた弱いＡＭ信号の影響を減少させることを支援する。復調器後フィルタ３８はソフトミュート装置４０にフィルタされたオーディオ信号を与える。ソフトミュート装置４０は信号品質に比例して、フィルタされたオーディオ信号を弱める。すなわち、信号品質が悪いほど弱化は大きくなり、従ってＡＭ信号中の雑音の影響がさらに弱められる。ソフトミュート装置４０は、それゆえ、その出力におい
て、フィルタされ弱められたオーディオ信号を提供する。
【００１０】
また、図示した実施形態では、復調器前フィルタ３６および復調器後フィルタ３８の帯域幅は、最適の雑音性能を達成するために、同じである。この実施形態（Ｉ２，Ｑ２および非フィルタオーディオ信号がベースバンド信号）では、復調器前フィルタ３６および復調器後フィルタ３８の両方で同じ係数のセットを使用することにより、計算上の効率が改善され得る。図１に示すように、復調器前フィルタ３６は、各々が同じ所定の次数を有し同じ係数のセットを使用する複数のカスケードフィルタを使用することにより、実装され得る。従って、図１は、復調器前フィルタ３６内の二対の実質的に同一のカスケードフィルタ、すなわちフィルタ２４に縦接続されたフィルタ２０およびフィルタ２６に縦接続されたフィルタ２２、を示す。フィルタ２０は、低域通過フィルタ１８から信号Ｉを受け取り、フィルタ２４に第１のフィルタ信号Ｉ１を与え、フィルタ２４は第２のフィルタ信号Ｉ２を生成し、これがＡＭ復調器および利得制御２８に与えられる。同様に、フィルタ２２は低域通過フィルタ１８から信号Ｑを受け取り、フィルタ２６に第１のフィルタ信号Ｑ１を与え、フィルタ２６は第２のフィルタ信号Ｑ２を生成し、これがＡＭ復調器および利得制御２８に与えられる。復調器後フィルタ３８も、図１に示すように、各々が同じ所定の次数を有し同じ係数のセットを使用する複数のカスケードフィルタフィルタを使用することにより実装され得る。従って、図１は、復調器後フィルタ３８内の一対の実質的に同一のカスケードフィルタ、すなわちフィルタ３０およびフィルタ３２、を示す。フィルタ３０はＡＭ復調器および利得制御２８から非フィルタオーディオ信号を受け取り、フィルタ３２に第１のフィルタ信号を与える。従って、フィルタ３２はフィルタされたオーディオ信号として第２のフィルタされた信号をソフトミュート装置４０に出力する。
【００１１】
図示した実施形態では、すべてのフィルタ（フィルタ２０，２４，２２，２６，３０，３２）が同じ所定の次数を有し、同じ係数のセットを使用するという点で実質的に同一のフィルタであることに留意する。従って、フィルタ制御装置３４は、フィルタの各々に同じ係数のセットを与えうる。これにより、復調器前フィルタ３６と復調器後フィルタ３８は同じ帯域幅を有することとなる。さらに、フィルタ係数のセットは一つしか必要ではないため、フィルタ係数は、入力信号の各サンプルで（または各ブロックでまたは所定のサンプル数で）実時間で計算することが可能である。得られる計算効率は、復調器前フィルタ３６および復調器後フィルタ３８が、連続的に変化可能なフィルタとして実装されることを可能にする。また、フィルタ係数をサンプル毎またはブロック毎に再計算することが可能なため、以前に計算したフィルタ係数のテーブルを格納するための記憶空間は、必要でない。また、図示した実施形態では、フィルタ２０，２４，２２，２６，３０，３２の各々が、一次フィルタであり、これは計算の複雑さをさらに減少させる。図示した実施形態では、それらのフィルタは基本的な一次フィルタとして実装され、それにより、以下により詳細に説明するように、より少ない係数の計算しか要求しない。
【００１２】
代替実施形態では、フィルタ２０，２４，２２，２６，３０，３２が高次フィルタであってもよいことに留意する。また、代替実施形態では、２より多くのカスケードフィルタが各信号をフィルタするために使用されてもよい。例えば、同じ所定の次数を有し同じ係数のセットを使用する３つのフィルタがＩ、Ｑ、および非フィルタオーディオ信号をフィルタするために使用されてもよい。さらに、代替実施形態では、それらの信号の各々は様々な数のカスケードフィルタによってフィルタされてもよい。さらに別の代替実施形態では、復調器前フィルタ３６と復調器後フィルタ３８は、異なる次数を有し、異なる係数のセットを使用してもよい。復調器前フィルタ３６、復調器後フィルタ３８、ＡＭ復調器および利得制御２８、ソフトミュート装置４０およびフィルタ制御装置３４は、例えばデジタル信号プロセッサ（ＤＳＰ）のようなデータ処理装置に実装されてもよい。例えば、それらは、中央処理装置によってアクセスされ実行されるコンピュータ可読記憶装置に格納されたソフトウェアとして実装されてもよい。代わりに、それらはハードウェアで実装さ
れてもよい。さらなる代替の実施形態では、それらはハードウェア、ソフトウェアおよびファームウェアの組み合わせで実装されてもよい。従って、復調器前フィルタ３６、復調器後フィルタ３８、ＡＭ復調器および利得制御２８、ソフトミュート４０およびフィルタ制御装置３４は、同じ集積回路上に実装されてもよいことに留意する。さらに、ソフトミュート装置４０と、ＡＭ復調器および利得制御２８の利得制御部分とは、任意選択の構成要素であることに留意する。
【００１３】
図２は、図１のフィルタ制御装置３４の一実施形態を示す。図２に関して説明されるアルゴリズムは、ＤＳＰ内の記憶装置に格納され、入力ＡＭ信号Ｉ，Ｑのサンプルまたはブロック（すなわち所定数のサンプル）に基づいて実行され得ることに留意する。フィルタ制御装置３４のブロック５０は、アンテナで受け取られたＡＭ信号内の所望のチャネルの強さの指標を提供するＳＳＩを受け取る。この所望のチャネルは、例えば、特定の周波数を示すＡＭラジオ内のチューナーノブにより示され得る。ブロック５０の出力は、第１の可能なカットオフ周波数を示すｆｒｅｑ１である。この第１の可能なカットオフ周波数を有するフィルタは、所与のＳＳＩ条件に対して、非フィルタオーディオ信号の聞きやすさを最適化する。以下により詳細に説明するように、聞きやすさは個々の聞き手に対応する主観的基準であることに留意する。フィルタ制御装置３４のブロック５２は、ＡＭ信号内の所望のチャネルに隣接するチャネルの干渉の指標を提供するＡＤＪＩを受け取る。ブロック５２の出力は、第２の可能なカットオフ周波数を示すｆｒｅｑ２である。この第２の可能なカットオフ周波数を所有するフィルタは、所与のＡＤＪＩ条件に対して、非フィルタオーディオ信号の聞きやすさを最適化する。従って、ブロック５０および５２は異なるチャネル条件に基づいて聞きやすさの最適化を試みる異なる可能なカットオフ周波数を提供する。すなわち、フィルタ制御装置３４は、可能なカットオフ周波数を決定する際に使用するために、ＳＳＩ、ＡＤＪＩまたはその双方に加えて、またはその代わりに、他の信号品質指標を受け取ってもよい。
【００１４】
本明細書に使用する場合、「カットオフ周波数」とは、フィルタの通過帯域の最も高い周波数のことを指すことに留意する。一実施形態では、このカットオフ周波数は、電力半値点、または出力信号が入力信号レベルから３ｄＢ減じられた点であり得る。代わりに、カットオフ周波数は阻止帯域が開始する点であってもよい。従って、カットオフ周波数を定義するために、いかなる特定の点を使用してもよいことに留意する。可能なカットオフ周波数ｆｒｅｑ１およびｆｒｅｑ２を決定するのに使用される方程式の一例を、図３および図４に関してより詳細に説明する。
【００１５】
図２に戻ると、ｆｒｅｑ１およびｆｒｅｑ２はブロック５４に与えられ、ブロック５４はこの２つの周波数の最小数をｆｒｅｑｍｉｎとして選択する。ｆｒｅｑｍｉｎにより指定されるカットオフ周波数は、それゆえ、２つのチャネル条件ＳＳＩおよびＡＤＪＩのうちのより悪い方に基づく最適の聞きやすさを提供する。代替実施形態では、可能なカットオフ周波数を決定するために、ＳＳＩおよびＡＤＪＩ以外にまたはそれらに加えて、他のチャネル条件が使用されてもよいことに留意する。従って、ブロック５４は２よりも多い候補からカットオフ周波数を選択してもよい。また、代替実施形態では、ｆｒｅｑｍｉｎは、種々の可能なカットオフ周波数（またはその部分集合）の加重平均に相当してもよい。さらに、図示してはいないが、代替実施形態では、選択された周波数ｆｒｅｑｍｉｎの一層の最適化を行なってもよい。
【００１６】
ブロック５６はｆｒｅｑｍｉｎを受け取り、フィルタ係数ａｏ、ａ１、ｂ０、ｂ１を計算する。すなわち、この実施形態では、各フィルタ２０，２４，２２，２６，３０，３２は、以下の形式の一次伝達関数Ｈ（ｚ）を有する。
【００１７】
【数１】
2006506850.tif 000003
【００１８】
（方程式１は一次無限インパルス応答（ＩＩＲ）フィルタに相当することに留意する。）従って、フィルタ制御装置３４の出力は、ＳＳＩおよびＡＤＪＩに基づいて、各フィルタ２０，２４，２２，２６，３０，３２にフィルタ係数を与える。ａｏ、ａ１、ｂ０、ｂ１を決定するために使用される方程式は、図５および図６に関して以下により詳細に説明する。上述したように、一次フィルタの４つの係数を計算することは簡単であるため、係数はサンプル毎またはブロック毎に計算でき、必要な記憶量や計算の複雑さが減少される。  しかしながら、代替実施形態は、図２のブロック５０、５２、５４および５６に示されるものとは異なる方程式を導き出し、より高次のフィルタを使用してもよい。
【００１９】
図３は、図２のブロック５０の以下の方程式を導き出すために使用される、ＳＳＩとカットオフ周波数ｆｒｅｑ１の関係を示すグラフである。
【００２０】
【数２】
2006506850.tif 000004
【００２１】
方程式２は、同じ方程式で表示された図３に示されたグラフに対応することに留意する。図３のグラフは、信号強度（すなわちＳＳＩ）が減少するにつれ、復調器前フィルタ３６および復調器後フィルタ３８の最適帯域幅がそれに比例して減少するという概念を表わしている。ＳＳＩとカットオフ周波数のこの関係は、方程式２により定義された線形の関係として近似することができる。代替実施形態では、他の近似（線形近似以外の）が使用されてもよいことに留意する。一実施形態では、２点線形近似を使用して、線形の関係（方程式２）が決定される。すなわち、ＳＳＩの２つの値が、良い信号強度と悪い信号強度（すなわちＳＳＩの高い値とＳＳＩの低い値）に基づいて選択され得る。ＳＳＩの各値について、聞き手に最良の聞きやすさを与えるｆｒｅｑ１の値を決定するために、ｆｒｅｑ１を変更しつつ出力オーディオ信号を聞くことができる。線形近似から、ｃ１とｃ２の値が決定され得る。代わりに、２よりも多くの値を使用してもよい。２よりも多くの値が使用される場合、他の高次の近似が、ＳＳＩの関数としてｆｒｅｑ１を定義するために使用されてよい。一実施形態では、ｆｒｅｑ１はアンテナで受け取られるＡＭ信号の最大の片側帯域幅を超えないことに留意する。
【００２２】
図４は、図２のブロック５２の以下の方程式を導き出すために使用される、ＡＤＪＩとカットオフ周波数ｆｒｅｑ２との間の関係を示すグラフである。
【００２３】
【数３】
2006506850.tif 000005
【００２４】
方程式３は、同じ方程式で表示された図４に示されたグラフに対応することに留意する。図４のグラフは、隣接信号の干渉（すなわちＡＤＪＩ）が増大するにつれ、復調器前フィルタ３６および復調器後フィルタ３８の最適帯域幅がそれに比例して減少するという概念を表している。ＡＤＪＩとカットオフ周波数のこの関係も、方程式３により定義された線形の関係として近似することができる。代替実施形態では、他の近似（線形近似以外の）が使用されてもよいことに留意する。一実施形態では、２点線形近似を使用して、線形の関係（方程式３）が決定される。すなわち、ＡＤＪＩの２つの値が、ＡＤＪＩの低い値とＡＤＪＩの高い値に基づいて選択され得る。ＡＤＪＩの各値について、聞き手に最良の聞きやすさを与えるｆｒｅｑ２の値を決定するために、ｆｒｅｑ２を変更しつつ出力オーディオ信号を聞くことができる。線形近似から、Ｃ３とＣ４の値が決定され得る。図４で示したこの実施形態では、Ｃ３が負の傾きに対応する負の値を提供することに留意する。代わりに、２よりも多くの値を使用してもよい。２よりも多くの値が使用される場合、他の高次の近似が、ＡＤＪＩの関数としてｆｒｅｑ２をＡＳを定義するために使用されてよい。一実施形態では、ｆｒｅｑ２はアンテナで受け取られるＡＭ信号の最大の片側帯域幅を超えないことに留意する。
【００２５】
従って、代替実施形態は、様々な異なる方法でｆｒｅｑ１およびｆｒｅｑ２を定義することが可能であり、ｆｒｅｑ１はＳＳＩの関数であり、ｆｒｅｑ２はＡＤＪＩの関数である。一実施形態では、一旦これらの関数が定義されれば、関数の係数（例えばｃ１およびｃ２、Ｃ３、Ｃ４）は、一度しか計算される必要がないため、ＤＳＰの記憶装置に格納され得る。
【００２６】
図５および６は、図２のブロック５６の係数方程式を決定するために使用され得る線形近似のグラフを示す。以下の方程式がフィルタ係数ａｏ、ａ１、ｂｏ、ｂ１を決定するために使用され得る。
【００２７】
【数４】
2006506850.tif 000006
【００２８】
フィルタ係数に対して方程式が選択されるため、４つの係数をすべて決定するためにサンプル毎またはブロック毎に２つの計算（方程式４および６）しか必要でないため、計算の複雑さがさらに減少される。これらの方程式（方程式４−６）は、以下に説明されるように、カーブフィット（curve fitting ）アルゴリズムを使用することにより決定され得る。
【００２９】
当該技術分野で周知の古典的な一次ＲＣフィルタ周波数伝達関数は、以下のように表わすことができる。
【００３０】
【数５】
2006506850.tif 000007
【００３１】
上記の方程式では、ωｃがフィルタ応答のカットオフ周波数に相当する。当該技術分野で周知の双一次変換を使用し、かつ周波数を予め曲げて、以下の一次ＩＩＲデジタルフィルタ周波数伝達関数を得ることが可能である（ｆｒｅｑｍｉｎがカットオフ周波数として使用されることに留意する。）
【００３２】
【数６】
2006506850.tif 000008
【００３３】
上記の方程式では、ｆｓはシステムのサンプリング周波数に相当する。例えば、一実施形態では、ｆｓは、Ａ／Ｄ変換器１６のサンプリング・レートと、Ａ／Ｄ変換器１６に従う任意のデシメーションおよび／または補間とにより定義され得る。方程式８は、（１＋ｚ−１）の前の項がｕ’により表され、分母のｚ−１の直前の項がｖ’により表わされた以下の形式に書き直すことが可能である。
【００３４】
【数７】
2006506850.tif 000009
【００３５】
ｕ’およびｖ’を表す曲線をそれぞれ図５および図６のグラフに示す。これらのグラフは説明の容易さのために単に例として使用されているのであって、方程式９により表わされる実際の伝達関数に対応していない場合があることに留意する。すなわち、ｕ’およびｖ’により表わされる実際の曲線は異なる形式であり得る。ｕ’およびｖ’で表される曲線の、問題となる特定の周波数範囲内での部分は、それぞれｕおよびｖにより近似され得る。この問題となる周波数範囲は、一実施形態では、０から最大ＡＭ放送帯域幅までとし
て定義され得る。例えば、一実施形態では、そのような周波数範囲は、０から５ｋＨＺまでとして定義され得る。図５および図６に示されているように、ｕおよびｖは問題となる周波数範囲内でのｕ’およびｖ’の部分の線形近似である。従って、方程式９は以下のように近似できることに留意する。
【００３６】
【数８】
2006506850.tif 000010
【００３７】
方程式１０で、ｕはｕ’の近似に相当し、ｖはｖ’の近似に相当する。図５および図６の例では、ｕ’およびｖ’の各々は線形カーブフィット近似を使用して近似され、以下の方程式が得られる。
【００３８】
【数９】
2006506850.tif 000011
【００３９】
これらの方程式は係数ａ１，ｂ０，ｂ１を与えるために使用され、ここでｕ＝ｂ０＝ｂ１かつｖ＝ａ１である。線形近似値以外の近似値ｕおよびｖを決定するために、代替物実施形態では、他のカーブフィットを使用してもよいことに留意する。
【００４０】
従って、同じ帯域幅を有する復調器前フィルタと復調器後フィルタを使用することにより、いかに電力と計算の複雑さが減少されるかが理解される。これはまた、復調器の前のＡＭ信号の帯域幅が、復調器の後のオーディオメッセージの帯域幅と等しくなることを可能にする。さらに、ＡＭ処理は、カスケードフィルタの使用によりさらに改善され得る。複雑さは、同じ所定の次数を有し同じ係数のセットを使用するカスケードフィルタの使用によっても減少される。
【００４１】
上述の明細書では、本発明を、具体的な実施形態を参照しながら説明してきた。しかしながら、当業者は、特許請求の範囲に示す本発明による範囲から逸脱することなく様々な修正および変更を成し得ることが理解されよう。例えば、ブロック図は図示したものとは異なるブロックを有しても良く、ブロックの数はより少なくても多くてもよく、異なるように配置されていてもよい。また、いくつかのブロックが組み合わされてもよい。さらに、図１に戻って参照すると、代替実施形態で、復調器前フィルタ３６の代わりにパスバンドフィルタが使用され、復調器後フィルタ３８の代わりにローパスフィルタが使用され、それらのフィルタの帯域幅が同じになるように両フィルタの係数が選択されてもよい。それゆえ、適宜、種々のフィルタの種類を使用してもよい。従って、明細書および図は、限定的というよりむしろ例示的であると見なすべきであり、又、このような修正は、本発明による範囲内に全て含まれるものとする。
【００４２】
利益、他の利点、および問題に対する解決策について、具体的な実施形態に関して上述
した。しかしながら、利益、利点、問題に対する解決策、および何らかの利益、利点、若しくは解決策を生じ得るまたはより顕著にし得る如何なる要素（１つまたは複数）も、全ての請求項の、重要な、必要な、または本質的な特徴若しくは要素と解釈すべきものではない。本明細書中に用いた用語「含む（comprises ）」、「含んでいる（comprising）」、またはその用語の他の派生語は、非排他的な包括を網羅することを意図し、従って、列記された要素を含む処理、方法、物、若しくは装置は、これらの要素だけを含むのではなく、明記されていないまたはこのような処理、方法、物、若しくは装置に固有な他の要素を含み得る。
【図面の簡単な説明】
【００４３】
【図１】本発明の一実施形態によるＡＭ受信機を示すブロック図。
【図２】本発明の一実施形態による図１のＡＭ受信機のフィルタ制御装置を示すブロック図。
【図３】本発明の一実施形態によるフィルタ制御装置によって使用される情報を導き出すのに使用される様々なグラフ。
【図４】本発明の一実施形態によるフィルタ制御装置によって使用される情報を導き出すのに使用される様々なグラフ。
【図５】本発明の一実施形態によるフィルタ制御装置によって使用される情報を導き出すのに使用される様々なグラフ。
【図１】
2006506850.tif 000012
【図２】
2006506850.tif 000013
【図３】
2006506850.tif 000014
【図４】
2006506850.tif 000015
【図５】
2006506850.tif 000016
【図６】
2006506850.tif 000017
【国際調査報告】
2006506850.tif 000018
2006506850.tif 000019